(57)【要約】【課題】コイルに熱電子放射性物質を適量かつ強固に担持した三重コイルを用いた電極を有し、バルブの黒化を低減して長寿命化できる蛍光ランプなどの低圧放電ランプおよびこの放電ランプの点灯器具を提供することを目的とする。【解決手段】ガラスバルブ１と、このバルブ１の端部に封着されたリード線４，４を有するステム３と、メインワイヤ６ａにこのワイヤ６ａより細径のサブワイヤ５ａが遊巻された線状体５１を巻回して形成した二重コイル状の端部を上記ステム３のリード線４，４に継線するとともに、この端部に連続する中間部をさらに巻回して形成した三重コイル状部５３を有するコイル状電極５と、この三重コイル状部５３のサブワイヤ５ａの単コイル部５１が形成する空間６８内のみに充填された熱電子放射性物質８と、上記バルブ１内に封入された水銀および希ガスからなる放電媒体とを備えた低圧放電ランプＬおよびこの放電ランプＬの点灯装置９である。【選択図】　図３
2004031061.tif 000002
【特許請求の範囲】
【請求項１】
ガラスバルブと；
このバルブの端部に封着されたリード線を有するステムと；
メインワイヤにこのワイヤより細径のサブワイヤが遊巻された線状体を巻回して形成した二重コイル状の端部を上記ステムのリード線に継線するとともに、この端部に連続する中間部をさらに巻回して形成した三重コイル状部を有するコイル状電極と；
この三重コイル状部のサブワイヤの単コイル部が形成する空間内のみに充填された熱電子放射性物質と；
上記バルブ内に封入された水銀および希ガスからなる放電媒体と；
を具備したことを特徴とする低圧放電ランプ。
【請求項２】
三重コイル状部の熱電子放射性物質が充填されているサブワイヤの単コイル部が形成する空間内の容積が０．５〜５．０ｍｍ３　であることを特徴とする請求項１に記載の低圧放電ランプ。
【請求項３】
三重コイル状の電極の冷抵抗値が２〜８Ωであることを特徴とする請求項１に記載の低圧放電ランプ。
【請求項４】
基体と；
この基体に取着された請求項１ないし３のいずれか一に記載の低圧放電ランプと；
この放電ランプの点灯回路と；
を具備したことを特徴とする放電ランプ点灯装置。
【発明の詳細な説明】
【０００１】
【発明の属する技術分野】本発明は、照明などの光源や紫外線などの放射源として用いられる蛍光ランプに代表される低圧放電ランプおよびこの放電ランプを装着したランプ点灯装置に関する。
【０００２】
【従来の技術】低圧放電ランプ、たとえば蛍光ランプは、両端を封止し内面に蛍光体被膜を形成したガラス管バルブ内に一対のコイル電極を対峙させるとともに水銀およびアルゴンガスなどの放電媒体を封入して構成されている。
【０００３】
そして、上記バルブ内においてコイル電極間に放電を生起させ、この放電によりバルブ内の水銀蒸気を電離および励起して紫外線を発生し、この紫外線を蛍光体被膜で可視光に変換してバルブ外に放射するようにしている。
【０００４】
また、上記電極Ｄは通常タングステンフィラメントワイヤ（細線）やタングステンメインワイヤ（芯線）にタングステンサブワイヤをさらに巻いた線状体を二重（ダブル）または三重（トリプル）に巻回したコイル状に形成され、図８に示すようにリード線Ｗ，Ｗに継線された両端のレグ部Ａを除く中間のコイル状部Ｃの全面に放電を容易にする熱電子放射性物質（エミッタ）Ｅを付着し担持させている。
【０００５】
そして、蛍光ランプは、ランプ始動時および点灯中、コイル状部Ｃに担持された熱電子放射性物質Ｅが次第に消耗していき、ついには、正常の電圧では十分な熱電子放射が困難となり、アーク放電の維持が不可能となってランプは消灯して寿命が尽きる。
【０００６】
上記のように蛍光ランプの寿命は、電極のコイル状部に担持させた熱電子放射性物質の蒸発飛散速度によるところが大きく、この熱電子放射性物質の付着量および蒸発熱源である電極（コイル）温度によって点灯寿命が決定されるといっても過言ではない。
【０００７】
上述したように放電ランプの寿命は熱電子放射性物質の付着量によっても左右され、その付着量が少ないとランプが短寿命となることから、上記図８に示すように三重コイル状の部分を含むコイルで囲われた部分にまで熱電子放射性物質を付着させたり、コイル径を大きくするなどのことをして熱電子放射性物質の付着量を増すことが行われている。
【０００８】
そして、通常、コイル状電極への熱電子放射性物質の付着は、アルカリ土類金属の炭酸塩とバインダとの懸濁液をコイルに塗布することにより行い、塗布後、このコイルに通電し加熱することによって炭酸塩を酸化物に分解する活性化を行っている。
【０００９】
しかし、タングステンワイヤからなるコイルは導電性もあり発熱するが、熱電子放射性物質を形成する炭酸塩は絶縁体で熱電導性が非常に悪く温度上昇がし難く、このときフィラメントワイヤの近傍にある炭酸塩はフィラメントワイヤからの熱で温度上昇するが、フィラメントワイヤより離れた部分の炭酸塩は温度上昇が低く分解不足となる。これは熱電子放射性物質を増量した場合に生じる不具合である。
【００１０】
この炭酸塩の分解不足は、炭酸塩がランプの点灯中にイオン衝撃を受け炭酸ガスや酸素などの不純ガスを放出する。そして、この不純ガスと水銀蒸気とが反応して水銀化合物となり、電極付近のバルブ内壁に付着して黒化を生じ、有効光量を減らし働程特性（光束維持率）が低下するとともに外観を損なうことと不純ガスによるちらつきの発生という問題がある。
【００１１】
また、熱電子放射性物質が多いと上記分解作業時や振動、衝撃を受けた場合に少しの力で部分的に壊れ破片が脱落して、この脱落による孔や凹部には陰極起点が生じ易く局部的に高温となって熱電子放射性物質の消耗が早期化したり、熱電子放射性物質不足によって、短寿命になってしまうなどの不具合がある。
【００１２】
このような熱電子放射性物質を増やした場合の、電極からの熱電子放射性物質の脱落および分解不足を防ぐ手段としては、電極を形成するコイル状部の構成により対応することが考えられる。
【００１３】
この対応は、たとえばコイル状部のピッチ間隔を狭めることによりできるが、その容積が同じであれば巻回数が多くなりフィラメントワイヤ長さが長くなったり、また、用いるフィラメントワイヤの長さを長くして小径化するなどのことをしても、所定のランプ電流値内に収まらなくなるなどの不具合がある。
【００１４】
【発明が解決しようとする課題】本発明者等は、近時、コイル状電極が、寿命特性などの面から三重（トリプル）コイル状のものが主流になりつつあることから、三重コイル状の電極およびこのコイル状部に担持させる熱電子放射性物質の関係について種々検討を行った。
【００１５】
そして、電極のコイル径やコイルに担持させる電子放射性物質の付着量、付着態様および電極の冷抵抗値などを最適化することによって、長寿命化できる放電ランプが得られることを見い出した。
【００１６】
本発明は、コイルに担持させる熱電子放射性物質の適正な保持量が確保できる三重コイルを用いた電極を有し、バルブの黒化を低減できるとともに長寿命化できる蛍光ランプなどの低圧放電ランプおよびこの放電ランプの点灯器具を提供することを目的とする。
【００１７】
【課題を解決するための手段】本発明の請求項１に記載の低圧放電ランプは、ガラスバルブと、このバルブの端部に封着されたリード線を有するステムと、メインワイヤにこのワイヤより細径のサブワイヤが遊巻された線状体を巻回して形成した二重コイル状の端部を上記ステムのリード線に継線するとともに、この端部に連続する中間部をさらに巻回して形成した三重コイル状部を有するコイル状電極と、この三重コイル状部のサブワイヤの単コイル部が形成する空間内のみに充填された熱電子放射性物質と、上記バルブ内に封入された水銀および希ガスからなる放電媒体とを具備したことを特徴としている。
【００１８】
本発明では三重コイル状部に担持させる熱電子放射性物質を、サブワイヤが形成する単コイル部内のみに充填してあるので、熱電子放射性物質が昇温し易くなるとともに通電時に加熱体となるメインワイヤおよびサブワイヤとの距離が近く熱電子放射性物質の活性化が完全に行え、バルブ内における分解不足による不純ガスの発生を防止できる。また、熱電子放射性物質は、サブワイヤにより形成された単コイル部内に囲まれているので強固に保持され、振動や衝撃が加わっても不所望な脱落を抑制できる。
【００１９】
なお、本発明は熱電子放射性物質をサブワイヤが形成する単コイル部内のみに充填しているが、その充填率は１００容積％に限らず７５〜１１５容積％程度まで許容でき、ばらつきを考慮すると８０〜１１０容積％程度が好ましい。
【００２０】
この充填率が７５容積％未満であると、所定の寿命が得られず短寿命を招き、また、１１５容積％を越えるとコイル外に付着していることになって、熱電子放射性物質の脱落の要因となる不具合がある。
【００２１】
なお、本発明ならびに以下の各発明において、特に指定しない限り用語の定義および技術的意味は次による。
【００２２】
低圧放電ランプとは、ガラスバルブ内に一対以上のコイル状の電極を有するとともに内部に希ガスを２００〜４００Ｐａ程度封入したランプで、蛍光ランプや紫外線放射ランプなどの各種放電ランプである。また、本発明は一般形の蛍光ランプに限らず、電球形やコンパクト形のランプあるいはガラスバルブ面と蛍光体被膜との間にアルミナなどの保護膜や透明導電膜を形成したりあるいは反射被膜を併設した他の種類の蛍光ランプにも適用できるものである。
【００２３】
また、本発明のメインワイヤにこのワイヤより細径のサブワイヤが遊巻された線状体とは、メインワイヤの周囲にサブワイヤが緩やかな遊びをもって巻回されていることを指す。その巻回作業は複数本のメインワイヤが芯線（マンドレル）となってサブワイヤが巻かれ、その後一部のメインワイヤが除去されることにより形成されるが、両者のワイヤが部分的に接触していても全く離間していてもよい。
【００２４】
また、線状体は、メインワイヤとサブワイヤとの関係位置が始端から終端までが同一であっても異なっていてもよい。また、そのサブワイヤの巻回形状は円形、長円形や多角形などであってもこれらの形が歪んだ形であってもよく、要するに両者間に熱電子放射性物質が充填される隙間が形成されていればよい。
【００２５】
熱電子放射性物質は、（Ｂａ、Ｃａ、Ｓｒ）Ｏ、Ｂａ−Ｍ−Ｏ（Ｍ；Ｔａ、Ａｌ、Ｖ、Ｗ、Ｔｉ）、Ｂａ−Ｃａ−Ｍ−Ｏ（Ｍ；Ｔａ、Ａｌ、Ｖ、Ｗ、Ｔｉ）などやこれらを組合わせたものあるいはＡｌ２　Ｏ３　、ＺｒＯ２　、Ｓｒ２　Ｏ３　などを少量添加したものなどであってもよい。
【００２６】
電極を構成するタングステンからなるコイルと熱電子放射性物質の材料とはその比熱が異なるが、熱電子放射性物質の担持量に応じてコイル各部の径、巻数やピッチなどの構成寸法を適宜決めればよい。
【００２７】
ガラスバルブの材質はソーダライムガラスや鉛ガラスなどの軟質ガラス、ホウケイ酸ガラス、アルミノシリケートガラスや石英ガラスなどの硬質ガラスを用いることができる。その形状は、直管形、環形、Ｕ字形、Ｗ字形、ダブルまたはトリプルＵ字形などや複数本の直管状バルブを継いだものあるいは板状であってもよい。また、電極を支持接続するリード線はフレアステム、ボタンステムやヒードステムに設けられたものに限らず、バルブ端部に直接封着されたものであっても差支えない。
【００２８】
また、バルブ内に封入される放電媒体としての水銀は、液状、アマルガム（合金）、水銀放出構体などであるが、水銀を封入しない希ガス発光による放電ランプにも適用できる。また、希ガスはアルゴン、クリプトン、キセノンやネオンなどを単独または混合したガスで、これらはランプ特性に合わせ、混合比や封入圧を適宜決めればよい。さらに、口金やホルダの有無は問わない。
【００２９】
本発明の請求項２に記載の低圧放電ランプは、三重コイル状部の熱電子放射性物質が充填されているサブワイヤの単コイル部が形成する空間内の容積が０．５〜５．０ｍｍ３　であることを特徴としている。
【００３０】
熱電子放射性物質を充填する容積については、従来の電極に対して３０〜８０％程度に減らしても、上記請求項１に記載の作用を奏する。
【００３１】
そして、本発明者の実験によれば三重コイル状部のコイル部が形成する空間内に充填された熱電子放射性物質の容積が、ランプ電流１００〜２００ｍＡの場合は０．６〜２．６ｍｍ３　、ランプ電流３００〜４８０ｍＡの場合は１．６〜４．７ｍｍ３　、ランプ電流５４０〜６４０ｍＡの場合は１．８〜５．０ｍｍ３　、ランプ電流７００〜９００ｍＡの場合は５．０〜１２．０ｍｍ３　で、この空間容積の７５〜１１５容積％程度の熱電子放射性物質が充填されていればよかった。
【００３２】
本発明の請求項３に記載の低圧放電ランプは、三重コイル状の電極の冷抵抗値が２〜８Ωであることを特徴としている。
【００３３】
電極の冷抵抗値については各品種において下限値未満であると、グロー回路によるランプ始動時のコイル昇温特性が悪化し、点滅時に早期黒化を招くなどの不具合があり、また、上限値を越えるとインバータ回路などで一定電流で予熱を行った際に予熱過剰となって短寿命を招く不具合がある。
【００３４】
本発明の請求項４に記載の放電ランプ点灯装置は、基体と、この基体に取着された請求項１ないし３のいずれか一に記載の低圧放電ランプと、この放電ランプの点灯回路とを具備したことを特徴としている。
【００３５】
点灯装置は、上記請求項１ないし３に記載の作用を有する放電ランプを装着したので、点灯経過に伴う光束の低下が小さく、長寿命の照明を行うことができる。
【００３６】
【発明の実施の形態】
以下、本発明の実施の形態を図面を参照して説明する。図１は低圧放電ランプたとえば直管形の蛍光ランプＬの一部断面正面図、図２は図１のランプに使用されるコイル状電極の概略正面図、図３は図２のコイル状電極の一部を省略した拡大概略正面図、図４は図２のコイル状電極の三重コイル状部の一部拡大概略正面図、図５は図２のコイル状電極の三重コイル状部のコイル部に熱電子放射性物質を塗布した後の状態を示す一部拡大断面図、図６はコイル状電極の製造工程途中の二次コイル部の一部を拡大して示す正面断面図である。
【００３７】
この蛍光ランプＬは、直管形のガラス管バルブ１の両端にそれぞれ封止部２（一方のみ記載。）が設けられ、この封止部２にはコイル状の電極５，５を有するステム３，３が封着されている。また、バルブ１の内壁面にはたとえば青色、緑色、赤色に発光領域を有する蛍光体を混合した３波長形の希土類蛍光体や連続波長発光形のハロリン酸塩蛍光体などを塗布した蛍光体被膜７が塗布形成されているとともに、このバルブ１内には水銀とアルゴンなどの希ガスからなる放電媒体が封入されている。図中、２１，２１は口金で、ステム３，３から導出したリード線４，４を電気的に接続している。
【００３８】
上記ステム３はフレアステムからなり、ピンチシール部３１内に封着して貫通した一対のリード線４，４に、タングステンからなるコイル状電極５のレグ部５４，５４を継線したものからなる。
【００３９】
このコイル状の電極５は図２ないし図５に示すように、タングステンからなるメインワイヤ（芯線）６ａにこのマンドレルより細径のタングステンからなるサブワイヤ（フィラメント）５ａを緩やかに巻回した線状体（５１）を、さらに巻回したコイル状（このときサブワイヤ５ａは二重コイル状５２となっている。）とし、両端のレグ部５４，５４を除く中間部をさらに巻回してコイル状５３（このときサブワイヤ５ａは三重コイル状５３となっている。）をしている。
【００４０】
そして、図４および図５に示すようにコイル状の電極５の三重コイル状部５３のサブワイヤ５ａが形成する単コイル部５１の空間６８内にのみバリウムＢａ、ストロンチウムＳｒ、カルシウムＣａの酸化物を主体とする熱電子放射性物質８を充填付着して担持させてある。
【００４１】
この三重コイル状の電極５の製造は次のようにして行われる。まず、モリブデン線からなる太目のメインワイヤ（芯線）６ｂとタングステン線からなる細目のメインワイヤ（芯線）６ａとを平行直線上に密着せしめた一次メインワイヤ（芯線）６ａ，６ｂ上にサブワイヤ５ａを巻回して一次コイル５１を形成する。（このときメインワイヤ６ａ，６ｂは直線状で、サブワイヤ５ａは単コイル状５１となっている。）
次に、この一次（単）コイル５１を図６に示すようにモリブデン線からなる二次メインワイヤ（芯線）６ｃに巻回して二重コイル５２を形成する。（このとき一次メインワイヤ６ａ．６ｂは単コイル状で、サブワイヤ５ａは二重コイル状５２となっている。）
さらに、この二重コイル５２の中間部を三次メインワイヤ（芯線）（図示しない。）に巻回して、一方の一次メインワイヤ６ａを残して他方のメインワイヤ６ｂ、６ｃ（および図示しない三次メインワイヤを含む。）は引抜くか、混酸液中に浸漬して除去するなどして図２に示す三重コイル状部５３を有するコイル５を形成する。これにより、他方のメインワイヤ６ｂが除去された部分に空間６８が形成される。
【００４２】
なお、三重コイル状部５３の両端の二重コイル状のレグ部５４，５４は、上記ステム３、３に植設されたリード線４，４に溶接やかしめあるいは挟圧などの手段で継線されている。
【００４３】
そして、このコイル状の電極５への熱電子放射性物質８の形成は、三重コイル状部５３をＢａ、Ｓｒ、Ｃａを主体とする炭酸化物溶液中に浸漬あるいは三重コイル状部５３に溶液を流下させて、一次メインワイヤ６ａが残っている一次コイル５１（巻回ターン内およびピッチ間）部分および二次コイル５２で形成される空隙内（巻回ターン内およびピッチ間）に毛管現象などを利用して溶液を付着させる。
【００４４】
この炭酸化物溶液が付着した上記三重コイル状部５３に当て板、刷毛状物などを当接したりあるいは気体を吹きかけて二重コイル５２および三重コイル状部５３のピッチ間にある溶液を除去して、上記三重コイル状部５３のサブワイヤ５ａが形成する単コイル５１部の空間６８内のみに溶液が充填されて残るようにし、この溶液を乾燥する。
【００４５】
そして、バルブ１の両端にステム３，３を封着させた後のランプＬの排気工程においてコイル状電極５、５を高周波などによって加熱し、三重コイル状部５３部に付着した熱電子放射性物質の充填体を分解させて酸化物とし、熱電子放射性物質８を形成させる。
【００４６】
この三重コイル状部５３のサブワイヤ５ａの単コイル５１部が形成する空間６８内のみにＢａ、Ｓｒ、Ｃａの酸化物を主体とする熱電子放射性物質８が充填された状態の一部を図５に示す。すなわち、サブワイヤ５ａが形成する単コイル５１部内において熱電子放射性物質８がメインワイヤ６ａを埋没する状態で充填している。
【００４７】
そして、この構成の蛍光ランプの点灯は、コイル状電極５，５に電流を流して予熱すると、メインワイヤ６ａおよびサブワイヤ５ａが発熱し、単コイル５１部が形成する空間内のみに充填担持された熱電子放射性物質８を加熱して、この熱電子放射性物質８から熱電子が豊富にバルブ１内に放出され、この熱電子が反対側の電極５の高圧に引かれて移動し容易にアーク放電が始まる。この放電により流れる電子はバルブ１内の水銀原子と衝突して紫外線を発生し、この紫外線によりバルブ内面に塗布されている蛍光体被膜７が励起されて可視光線を発光する。この発光は蛍光体の種類によって、白色、昼光色、青色などの所定の色光がランプから放射される。
【００４８】
そして、本発明では三重コイル状部５３に担持させる熱電子放射性物質８を、サブワイヤ５ａが形成する単コイル５１部内のみに充填してあるので、通電時に加熱体となるメインワイヤ６ａおよびサブワイヤ５ａとの距離が近く熱電子放射性物質８の活性化が完全に行え、バルブ１内における分解不足による不純ガスの発生を防止して、寿命中のちらつきの発生やバルブ１内面の黒化による光束の低下を抑制した、長期に亘り安定な電子放射が行われる長寿命の蛍光ランプＬを提供できる。
【００４９】
また、熱電子放射性物質８はサブワイヤ５ａにより形成された単コイル５１部内に囲まれているので強固に保持され、振動や衝撃が加わっても不所望な脱落を防止できる。
【００５０】
そして通常、この蛍光ランプＬは所定の消費電力に適合するよう電流と電圧、封入する希ガスの種類や水銀の量などとともに寿命の観点からも最適な電極５，５の設計がなされている。
【００５１】
そして、本発明者等が各種蛍光ランプにおいて、上記実施の形態に示す構造の三重コイル電極５のサブワイヤ５ａにより形成された単コイル５１に囲まれる熱電子放射性物質を充填する容積および加熱体となる電極５の冷抵抗値について好適な範囲は表１の通りであった。
【表１】
2004031061.tif 000003
上記表１から明らかなように、本発明に係わる電極５の単コイル５１に囲まれる熱電子放射性物質８を充填する容積については、従来の電極に対して３０〜８０％程度でよく、上記の利点を有するほかに熱電子放射性物質８の使用量を減らしてコスト低減がはかれることが分かった。
【００５２】
また、電極５の冷抵抗値については、その大部分がメインワイヤ６ａの線径と長さによって決まるものであり、冷抵抗値は２〜８Ωの範囲が好ましい。
【００５３】
そして、この蛍光ランプＬは商用周波数で点灯する安定化回路を有する低圧放電ランプの点灯装置で点灯させることができる。図７は本発明の直管形蛍光ランプＬを用いた点灯装置（照明器具）９の実施の形態を示す斜視図である。
【００５４】
図中９１は装置本体（基体）で、装置（器具）９の建物などへの取付具、電源接続機構や安定器などの点灯回路９２が収納されている。この本体９１の下方にはセード９３が設けられ、この内部に取付けられたソケット９５，９５，…には２本の直管形蛍光ランプＬ，Ｌの口金６，６が装着され電気的な接続と支持が行われている。また、図中９４は反射板である。
【００５５】
この蛍光ランプＬ，Ｌは、電源接続機構、安定器などの点灯回路９２、図示しないコードおよびソケット９５，９５を介し給電され安定した点灯ができる。そして、この点灯装置（照明器具）９に装着された蛍光ランプＬ，Ｌは、発光特性の低下の虞がなく長期に亘りランプ交換などの必要がない、保守などが容易な照明を行うことができる。
【００５６】
【発明の効果】請求項１の発明によれば、熱電子放射性物質が昇温し易く、かつ、強固に保持され、バルブ内における不純ガスの発生や脱落を防止して寿命中の光束低下およびランプ電圧上昇などの特性低下を抑制した、長期に亘り安定な電子放射が行われ長寿命化がはかれる低圧放電ランプを提供できる。
【００５７】
請求項２の発明によれば、熱電子放射性物質を充填する容積について、従来の電極に対して３０〜８０％程度減らすことができ、熱電子放射性物質の使用量を減らしてコストの低減がはかれる低圧放電ランプを提供できる。
【００５８】
請求項３の発明によれば、熱電子放射性物質を最適に保ちながら、コイルの電気特性を最適値に設計した低圧放電ランプを提供できる。
【００５９】
請求項４の発明によれば、上記請求項１ないし３に記載の効果を有する放電ランプを装着したので、発光特性の低下の虞がなく長期に亘りランプ交換などの必要がないので、保守なども容易な優れた照明を行うことができる照明器具などの点灯装置を提供できる。
【図面の簡単な説明】
【図１】本発明の低圧放電ランプ（直管形蛍光ランプ）の実施の形態を示す一部切欠断面正面図。
【図２】図１のランプに使用されるコイル状電極の概略正面図。
【図３】図２のコイル状電極の一部を省略した拡大概略正面図。
【図４】図２のコイル状電極の三重コイル状部の一部拡大概略正面図。
【図５】図２のコイル状電極の三重コイル状部のコイル部に熱電子放射性物質を塗布した後の状態を示す一部拡大断面図。
【図６】コイル状電極の製造工程途中の二次コイル部の一部を拡大して示す正面断面図。
【図７】本発明の点灯装置の実施の形態を示す斜視図。
【図８】従来の低圧放電ランプに使用されているコイル状電極を示す概略正面図。
【符号の説明】
Ｌ：低圧放電ランプ（蛍光ランプ）、　１：ガラスバルブ、　３：ステム、
４：リード線、　５：コイル状電極、　５ａ：サブワイヤ、
５３：三重コイル状部、　６ａ：マンドレル（芯線）、　６８：空間、
８：熱電子放射性物質、　９：点灯装置（照明器具）、　９１：基体（本体）、　９２：点灯回路、
【図１】
2004031061.tif 000004
【図２】
2004031061.tif 000005
【図３】
2004031061.tif 000006
【図４】
2004031061.tif 000007
【図５】
2004031061.tif 000008
【図６】
2004031061.tif 000009
【図７】
2004031061.tif 000010
【図８】
2004031061.tif 000011